(57)【要約】【課題】  この発明は、見る角度により、ある角度からはレンズ状シートを通して印刷物（画像）を観察することができ、別の角度からは印刷物の裏側を透過することができる画像シート、及びこの画像シートに用いるレンズ状シートを得ることを課題とするものである。【解決手段】  透明合成樹脂シート２の表面に凸条をなす凸レンズ３と、この凸レンズと平行な平面部４を多数形成したレンズ状シート１の裏面に、前記レンズ状シートを通して画像が観察できるように印刷を表示し、前記印刷は、前記レンズ状シートの平面部対応位置を無印刷部として画像シートを構成するものである。【選択図】 図２
2006072213.tif 000002
【特許請求の範囲】
【請求項１】
透明合成樹脂シートの表面に凸条をなす凸レンズを多数密接させて形成すると共に、前記凸レンズの長手方向に沿って帯状の平面部を形成したレンズ状シートの裏面に、前記レンズ状シートを通して画像が観察できるように印刷が表示され、
前記印刷は、前記平面部対応位置に帯状の無印刷部を残して表示され、
表面側から観察したときにある観察角度では画像が観察され、別の角度ではシートが透視されるようにした、
画像シート
【請求項２】
平面部は凸レンズの上部又は側部に形成された、請求項１記載の画像シート
【請求項３】
透明合成樹脂シートの表面に凸条をなす凸レンズを多数密接させて形成すると共に、前記凸レンズの長手方向に沿って帯状の平面部を形成した、レンズ状シート
【請求項４】
平面部は、凸レンズの上部又は側部に形成した、請求項３記載のレンズ状シート
【発明の詳細な説明】
【技術分野】
【０００１】
この発明は、透明合成樹脂シートの表面に凸条をなす凸レンズを多数形成したレンズ状シートを用いた画像シート及びこの画像シートに使用するレンズ状シートに関するものである。
【背景技術】
【０００２】
従来、印刷された平面画像を三次元画像として観察するために、あるいは見る角度により異なる画像を観察するために、レンズ状シートが用いられている。そして、レンズ状シートを用いて三次元画像や異なる画像を観察できるようにした印刷物は、飾り物の他、商品パッケージにも使用されている。
しかるに、商品パッケージとして使用するためには、内部に収納された商品が外部から認識できることが要求される場合があるが、従来のレンズ状シートにおいては、何れの角度から観察しても、レンズ状シートの裏側に表示された印刷画像が観察されるのみで、内部を透視することはできない。
【０００３】
図６は、従来のレンズ状シート５１の斜視図であり、透明合成樹脂シート５２の表面に断面凸弧状の凸条である凸レンズ５３が密着して多数並設されている。
このレンズ状シート５１を用いて印刷物を三次元画像あるいは複数種の画像として観察できるようにするためには、前記レンズ状シートの裏面における凸レンズの連続部分に対応する位置に印刷５４を表す。
ここで、観察者が受ける裏面側からの光は、凸レンズにより屈折し、何れの角度から観察しても画像が観察され、レンズ状シート５１の裏面側を透視することはできない（図６）。
【０００４】
【特許文献１】特開平１１−７２８４９号公報
【特許文献２】特開２００４−４６８２号公報
【０００５】
以下に述べるように、本願発明はレンズ状シートに平面部を形成することを特徴とするものであるところ、上記特許文献もレンティキュラーレンズに平面部が形成されている。
しかしながら、上記各文献に開示された発明におけるレンティキュラーレンズは、フレネルレンズシートと組み合わせて透過型スクリーンとして使用されるものであり、本願発明のように三次元画像などを得る目的で使用されるものではない。また、レンティキュラーレンズ自体、シートの両面に凸レンズが形成されたものである。
【発明の開示】
【発明が解決しようとする課題】
【０００６】
この発明は、見る角度により、ある角度からはレンズ状シートを通して印刷物（画像）を観察することができ、別の角度からは印刷物の裏側を透視することができる画像シート、及びこの画像シートに用いるレンズ状シートを得ること、すなわち、パッケージに使用したときに、パッケージに収納された商品を視認することのできる画像シート及びそのためのレンズ状シートを得ることを課題とするものである。
【０００７】
上記課題との関係において、上記特許文献１，２は、何れにも係る課題は存在せず、フレネルシートと組み合わせて透過型スクリーンを構成したときにおけるモアレを防止することを課題としてものであって、本願発明にとって先行技術としての位置を占めるものではない。
【課題を解決するための手段】
【０００８】
請求項１の発明は、透明合成樹脂シートの表面に凸条をなす凸レンズを多数密接させて形成すると共に、前記凸レンズの長手方向に沿って帯状の平面部を形成したレンズ状シートの裏面に、前記レンズ状シートを通して画像が観察できるように印刷を表示する。前記印刷は、前記平面部対応位置に帯状の無印刷部を残して表示し、表面側から観察したときにある観察角度では画像が観察され、別の角度ではシートが透視されるようにして画像シートを構成するものである。
前記印刷の表示は、レンズ状シートの裏面に直接印刷をする手法と、印刷された透明シートを層着する手法とがある。
【０００９】
請求項３以下の発明は、請求項１の発明に使用するレンズ状シートに関するものであって、透明合成樹脂シートの表面に凸条をなす凸レンズを多数密接させて形成すると共に、前記凸レンズの長手方向に沿って帯状の平面部を形成するものである。前記平面部の位置は、凸レンズの上部、側部の何れでもよく、側部に形成する場合、凸レンズの一側にのみ形成するもの、両側に形成するものがある。
【００１０】
この発明における平面部の幅には格別の限定はない。凸レンズのレンズ機能を有する部分の幅と平面部の幅との相対関係において、レンズ機能を有する部分の幅の比率が高い場合は、画像を観察できる視角が大きくなり、平面部の比率が高い場合は画像を観察できる視角が狭まることとなるが、使用目的に会わせて適宜選定することとなる。
また、平面部は必ずしもレンズ状シートの全体に設ける必要はない。例えば、レンズ状シートの一区画（例えば１０センチ四方）にのみ、平面部を設ける態様、あるいは凸レンズの全長の一部（例えば１／２）にのみ平面部を設ける態様なども考えられる。この場合、平面部を設けた部分においてはレンズ状シートの裏面側を透過して観察することができるが、同じ角度で観察したときに平面部のない箇所においては、画像を観察することができる。
この発明における「平面部対応位置」とは、平面部と直角方向からの光線がシート裏面に当たる位置をいう。
【発明の効果】
【００１１】
請求項１の発明において、レンズ状シートには平面部が形成されており、前記印刷は、前記前記レンズ状シートの平面部対応位置に無印刷部を残してある。したがって、前記平面部と垂直方向からこの画像シートを観察したとき、前記平面部を通過する光は無印刷部を透過した光であり、凸レンズを通過する光は印刷部に焦点を結ばない光であり、画像印刷部分を透過した光は観察者に認識されない。
すなわち、観察者は無印刷部を透過した光を認識することとなり、画像シートの裏面側を観察することができる。
他方、前記平面部と直角以外の角度から三次元シートを観察すると、凸レンズが印刷部分に焦点を結ぶこととなり、印刷物の画像を観察することができる。
【００１２】
請求項３以下の発明においては、各発目のレンズ状シートの裏面に請求項１の発明と同様の要領で無印刷部を設けた印刷を施したり、印刷が施されたシートを層着することにより、請求項１の三次元画像シートの効果を得ることができる。
【発明を実施するための最良の形態】
【００１３】
以下実施例を説明する。
【実施例１】
【００１４】
図１に示すレンズ状シート１は、透明合成樹脂シート２の表面に断面円弧状の凸条である凸レンズ３を多数密接させて並設し、各凸レンズ３の上部にシート１の裏面と平行な平面部４を凸レンズ３の全長に亘り形成したものである。
このように構成されたレンズ状シート１の裏面に、画像が印刷されている。この画像の印刷は、前記凸レンズ３の両側、平面部が形成されていない部分、にのみ印刷部５として印刷され、平面部４に対応する部分（平面部の直下）は無印刷部６としてある。
また、前記凸レンズ３の焦点７は、無印刷部６に位置する（若しくは、印刷部に位置しない）ようにしてある。
以上により、画像シートが構成してある。
【００１５】
この画像シートを前記平面部４と直角方向から観察すると（図２）、レンズ状シート１の裏面側からの光は、レンズの平面図４をそのまま透過する。また凸レンズ３の焦点は無印刷部６に位置する（印刷部に位置しない）ので、図柄は隠れた状態となる。
したがって、図２に矢印で示す方向から三次元画像シートを観察した場合、画像は観察されず、画像シートの裏面を透過することができる。
【００１６】
他方、図３に示すようにこの画像シートを斜めから観察すると、、凸レンズ３の焦点７が印刷部５に位置することとなる。加えて、平面部４の開口幅が小さくなり、また裏面からの光は平面部で屈折するので、平面部４をそのまま透過する光は減少する。
したがって、凸レンズ３を通して三次元画像又は複数種の画像を観察することができ、かつ平面部を透過する光量が減少するので、画像シートの裏面は見えにくくなる。
すなわち、この画像シートでパッケージを形成すると、正面から観察したときには内部に収納された商品を観察することができ、斜めから観察するときには、三次元画像又は複数種の画像を観察することができる。
【実施例２】
【００１７】
図４，図５は帯状の平面部４を凸レンズ３の片方の側面に形成したものである。ここで、前記平面図４に対応する部分（平面部４と直角な光がシート１の裏面に当たる部分）は無印刷部６とし、その余の部分に印刷５が施されている。
この場合は、図４に示す平面部４と直角をなす方向から観察したとき、すなわち斜め方向から観察したときに、画像シートの裏面を透視することができ、図５に示す凸レンズ３の弧面側から観察したときに画像を観察することができる。
【産業上の利用可能性】
【００１８】
この発明によれば、観察する角度によって、三次元画像又は複数種の画像が観察できたり、画像シートの裏側を透視して観察できたりする。したがって、この発明の画像シートによって、商品パッケージを構成すると、見る角度により印刷された画像を観察でき、別の角度から見ると内部に収納された商品を観察できる、商品パッケージを得ることができる。
また、この発明の画像シートを窓ガラスに貼付すると、見る角度により画像を観察でき、別の角度からは窓ガラスの反対側を透視して観察できる。
このように、この発明の画像シートは、透視し得る画像シートとして幾多の利用方法を有するものであって、産業上利用可能性を有するものである。
そして、この発明のレンズ状シートも、上記のような画像シートの構成材として、産業上利用可能性を有するものである。
【図面の簡単な説明】
【００１９】
【図１】実施例１のレンズ状シートの斜視図
【図２】実施例１の正面から観察したときの光学特性を示す断面図
【図３】実施例１の斜めから観察したときの光学特性を示す断面図
【図４】実施例２の平面側から観察したときの光学特性を示す断面図
【図５】実施例２の弧面側から観察したときの光学特性を示す断面図
【図６】従来のレンズ状シートの斜視図
【図７】従来のレンズ状シートの正面から観察したときの光学特性を示す断面図
【符号の説明】
【００２０】
１  レンズ状シート
２  合成樹脂シート
３  凸レンズ
４  平面部
５  印刷部
６  無印刷部
７  焦点
【図１】
2006072213.tif 000003
【図２】
2006072213.tif 000004
【図３】
2006072213.tif 000005
【図４】
2006072213.tif 000006
【図５】
2006072213.tif 000007
【図６】
2006072213.tif 000008
【図７】
2006072213.tif 000009